(57)【要約】【課題】  ノイズブランカにより入力信号に含まれるノイズを処理するにあたり、処理された後の信号を歪ませないようにすることである。【解決手段】  ノイズブランカ１０に、入力信号に含まれるノイズを減衰させる減衰量を設定するための深さ調整部１６を設ける。深さ調整部１６に設定された減衰量は、入力信号のノイズを処理するブランク処理部１４に深さ調整部１６より入力され設定される。ブランク処理部１４は、信号レベル検出部１１によりノイズが検出された場合、信号をカットするのでなく、減衰量に基づき信号を減衰させる処理を行う。【選択図】  図２
2006050018.tif 000002
【特許請求の範囲】
【請求項１】
入力信号のノイズを減衰させる処理を行うノイズ処理手段と、入力信号の信号レベルを検出してノイズを検出するためのノイズ検出手段と、前記ノイズ処理手段にノイズを減衰させる減衰量を設定するための減衰量設定手段とを備え、
前記ノイズ検出手段がノイズを検出すると、前記ノイズ処理手段が前記設定された減衰量に応じてノイズを減衰させる処理を行うノイズブランカ。
【請求項２】
前記減衰量設定手段が、減衰量を可変に設定できるようにされた請求項１に記載のノイズブランカ。
【請求項３】
前記ノイズ処理手段は、所定の時間の幅であるブランク幅を基準として定まる時間にわたってノイズを減衰させる処理を行い、
前記減衰量設定手段は、前記ノイズ処理手段が前記ノイズを減衰させる処理を行う時間の幅内で異なる減衰量を設定することを特徴とする請求項１又は２に記載のノイズブランカ。
【請求項４】
前記減衰量設定手段は、前記ノイズを減衰させる処理を行う時間におけるノイズを減衰させる処理を開始した時点より減衰量を段階的に増加させるとともに、前記ノイズを減衰させる処理を行う時間におけるノイズを減衰させる処理を終了する時点に向かって減衰量を段階的に減少させるように構成された請求項３に記載のノイズブランカ。
【請求項５】
前記減衰量設定手段は、前記ノイズを減衰させる処理を行う時間において、前記減衰量を段階的に増加させる時間及び前記減衰量を段階的に減少させる時間以外においては、設定された減衰量の最大値を維持するように構成された請求項４に記載ノイズブランカ。
【請求項６】
無線信号を目的の所定周波数に同調させて受信する受信回路と、前記受信回路より出力された入力信号が入力される請求項１乃至５のいずれか１項に記載のノイズブランカと、前記ノイズブランカより出力された信号を復調させる復調回路と、を備える無線機。
【発明の詳細な説明】
【技術分野】
【０００１】
本発明は、ノイズブランカ、及び無線機に関する。
【背景技術】
【０００２】
無線機には、一般に、ノイズブランカが設けられている。このノイズブランカは、無線機により受信したい信号以外のノイズ信号を減衰させる等の処理を行う。そして、ノイズブランカでは、無線機が受信した信号がノイズを含むか否か検出し、ノイズを検出した信号の部分を処理していた。
【発明の開示】
【発明が解決しようとする課題】
【０００３】
ところで、従来のノイズブランカは、ノイズを検出した信号の部分を完全にカットしていた。従って、ノイズブランカにより処理した後の信号を歪ませ、無線機を使用するユーザに音声についての聴感上の歪みを感じさせることがあった。また、従来のノイズブランカによると、ノイズを検出した信号の部分を完全にカットしていたので、必要な情報を損なうこともあった。
【０００４】
そこで、本発明は、ノイズを検出した場合の処理において、信号の歪みを小さくすることができるノイズブランカ、及び無線機を提供することを目的とする。
【課題を解決するための手段】
【０００５】
上記課題を解決するため、本発明は、入力信号のノイズを減衰させる処理を行うノイズ処理手段と、入力信号の信号レベルを検出してノイズを検出するためのノイズ検出手段と、前記ノイズ処理手段にノイズを減衰させる減衰量を設定するための減衰量設定手段とを備え、
前記ノイズ検出手段がノイズを検出すると、前記ノイズ処理手段が前記設定された減衰量に応じてノイズを減衰させる処理を行うノイズブランカである。
【０００６】
本発明のノイズブランカによると、ノイズブランカによりノイズを減衰させる処理を行うにあたり、信号を減衰させる減衰量を設定して行うことができる。これにより、ノイズを含む部分の信号を完全にカットするのでなく、該信号の部分を所定の減衰量で減衰させるので、ノイズの処理に伴う信号の歪みを小さくすることができる。そして、信号に含まれる必要な情報を損なうことを防ぐこともできる。
【０００７】
前記減衰量設定手段について、減衰量を可変に設定できるようにすることができる。これにより、ノイズを減衰させるための減衰量を調整することができ、受信の目的となる信号付近の電波状況に応じて、最適な減衰量を設定することもできる。
【０００８】
前記ノイズ処理手段を、所定の時間の幅であるブランク幅を基準として定まる所定の時間にわたってノイズを減衰させる処理を行うようにし、
前記減衰量設定手段を、前記ノイズ処理手段が前記ノイズを減衰させる処理を行う時間の幅内で異なる減衰量を設定するようにすることができる。
【０００９】
これにより、ノイズを減衰させる処理を行う一つの所定の時間の幅内において、減衰量を変化させてノイズを処理することができる。そして、ノイズを処理するための信号処理の状況に応じて、減衰量を変化させることができる。
【００１０】
また、前記減衰量設定手段を、前記ノイズを減衰させる処理を行う時間におけるノイズを減衰させる処理を開始した時点より減衰量を段階的に増加させるとともに、前記ノイズを減衰させる処理を行う時間におけるノイズを減衰させる処理を終了する時点に向かって減衰量を段階的に減少させるように構成することができる。
【００１１】
この発明によると、ノイズを減衰させる処理の開始および終了時に減衰量に傾斜をもたせた信号処理を行い、減衰の開始時にはいわゆるフェードインのようにノイズを減衰させる処理を開始し、減衰の終了時にはいわゆるフェードアウトのようにノイズを減衰させる処理を終了する。これにより、ノイズブランカによるノイズを減衰させる処理に伴う信号の歪みをより小さくすることができる。
【００１２】
前記減衰量設定手段を、前記ノイズを減衰させる処理を行う時間において、前記減衰量を段階的に増加させる時間及び前記減衰量を段階的に減少させる時間以外においては、設定された減衰量の最大値を維持するように構成することができる。これにより、減衰量を段階的に増加させる時間と減衰量を段階的に減少させる時間とを除く中間の時間においては、設定された最大の減衰量によりノイズを減衰させる。
【００１３】
また、無線信号を目的の所定周波数に同調させて受信する受信回路と、前記受信回路より出力された入力信号が入力される上記ノイズブランカと、前記ノイズブランカより出力された信号を復調させる復調回路と、により無線機を構成することができる。
【００１４】
この発明の無線機によると、ノイズブランカがノイズを減衰させる処理を行うにあたり、信号を減衰させる減衰量を設定して行うことができる。これにより、ノイズを含む部分の信号を完全にカットするのでなく、該信号の部分を所定の減衰量で減衰させ、ノイズの処理に伴う信号の歪みを小さくすることができる。そして、信号に含まれる必要な情報を損なうことを防ぐこともできる。
【００１５】
そして、本発明の無線機によると、信号の歪みを小さくできるので、当該無線機のユーザに受信音声についての聴感上の歪みを感じさせることを防ぐこともできる。  
【発明の効果】
【００１６】
本発明によると、ノイズブランカによりノイズを減衰させる処理を行うにあたり、信号を減衰させる減衰量を設定して行うことができる。これにより、ノイズを含む部分の信号を完全にカットするのでなく、該信号の部分を所定の減衰量で減衰させるので、ノイズの処理に伴う信号の歪みを小さくすることができる。そして、信号に含まれる必要な情報を損なうことを防ぐこともできる。
【発明を実施するための最良の形態】
【００１７】
本発明の実施の形態について、図１乃至図４を参酌しつつ説明する。図１は、本発明の一実施形態である無線機２０のブロック図である。本発明の一実施形態であるノイズブランカ１０は、無線機２０の一部として設けられている。以下に説明するノイズブランカ１０、無線機２０によると、パルス性のノイズを処理することができる。
【００１８】
図１に示すように、無線機２０は、受信アンテナ１と、受信回路２と、Ａ／Ｄコンバータ３と、ノイズブランカ１０と、受信処理部５と、Ｄ／Ａコンバータ６と、操作部７と、外部メモリ８を備えている。
【００１９】
受信アンテナ１は、無線信号を受信する。受信回路２は、受信アンテナ１より入力される信号を目的の所定周波数に同調させ、さらに周波数変換を行ってＩＦ（中間周波数）信号とする。
【００２０】
受信回路２より出力されたＩＦ信号は、Ａ／Ｄ（アナログ／ディジタル）コンバータ３に供給され、ディジタル信号に変換される。Ａ／Ｄコンバータ３に入力されたアナログのＩＦ（中間周波数）信号は、Ａ／Ｄコンバータ３によりディジタルのＩＦ信号に変換される。
【００２１】
Ａ／Ｄコンバータ３によりディジタル化されたＩＦ信号は、ノイズブランカ１０に入力される。ノイズブランカ１０は、ディジタルＩＦ信号について、ノイズ成分を減衰させる処理を行う。
【００２２】
ノイズブランカ１０を出力された信号は、受信処理部５に入力され、オーディオ周波数（Audio Frequency）の信号（ＡＦ信号）に復調される。この復調された信号（ＡＦ信号）は、Ｄ／Ａコンバータ６によりアナログのＡＦ信号に変換され、例えばスピーカ９や図示されない信号処理回路に供給される。
【００２３】
操作部７は、無線機２０のユーザによって操作され、無線機２０を動作させる条件情報を入力する。例えば、操作部７により、ユーザのキー操作に従って、無線機２０の動作モード（ＡＭ、ＦＭ、受信周波数、受信チャンネルの別）を選別することができる。また、操作部７の操作により、ノイズブランカ１０がノイズを減衰させる条件である「ブランク幅」や「減衰量」を設定するようにできる。
【００２４】
外部メモリ８は、ノイズブランカ１０の処理に伴うデータを記憶する。また、外部メモリ８は、この無線機２０の制御に必要な各種のデータも記憶する。外部メモリ８に「ブランク幅」、「減衰量」を予め記憶し、ノイズブランカ１０が処理を行う場合に、これらのデータを参照するようにすることができる。
【００２５】
なお、無線機２０には、図示されない制御用マイコンが設けられ、制御用マイコンはＲＯＭ及びＲＡＭを備えている。制御用マイコンにより無線機２０の動作を制御するためのプログラムはＲＯＭに格納されている。
【００２６】
また、制御用マイコンは、必要に応じて外部メモリ８に対するデータの入出力を行う。そして、この制御用マイコンの動作に基づき、図１に示される各ブロックが制御される。
【００２７】
次に、ノイズブランカ１０について、図２に基づき説明する。図２は、ノイズブランカ１０を含むブロック図である。ノイズブランカ１０には、Ａ／Ｄコンバータ３より出力された入力信号（ＩＦ入力）が入力される。
【００２８】
ノイズブランカ１０は、信号レベル検出部１１、検出レベル調整部１２、ディレイ（Ｄｅｌａｙ）部１３、ブランク処理部１４、ブランク幅調整部１５、深さ調整部１６を備えている。
【００２９】
信号レベル検出部１１は、入力信号の信号レベルを検出し、入力信号がノイズを含むか否かの検出を行う。信号レベル検出部１１は、入力信号がノイズを含むか否か検出するため、入力信号の電力の計算を行う。
【００３０】
そして、信号レベル検出部１１は、検出レベル調整部１２より入力された閾値レベルと入力信号の電力値とを比較し、ノイズの検出を行う。信号レベル検出部１１は、ノイズを検出すると、ブランク処理部１４がブランク（減衰）処理を行うための制御信号を出力する。この信号レベル検出部１１は、入力信号の信号レベルに基づきノイズを検出しており、ノイズ検出手段にあたる。
【００３１】
検出レベル調整部１２は、信号レベル検出部１１がノイズの検出を行うための基準となる閾値レベルを信号レベル検出部１１に入力する。検出レベル調整部１２には、ノイズ検出のための閾値レベルが設定される（閾値の設定レベル）。この閾値レベルを検出レベル調整部１２に設定するにあたり、外部メモリ８に記憶させた閾値レベルのデータを検出レベル調整部１２に入力するようにできる。
【００３２】
ディレイ（Ｄｅｌａｙ）部１３は、入力信号を遅延させる処理を行う。ノイズブランカ１０に入力された入力信号について、信号レベル検出部１１がノイズを含むか否か検出するには所定の処理時間を要する。そのため、信号レベル検出部１１によるノイズの検出が終了した後にブランク処理部１４により入力信号を処理するべく、入力信号をディレイ部１３により遅延させてブランク処理部１４に入力する。
【００３３】
ブランク処理部１４は、入力信号に含まれるノイズを除去するべく、入力信号に対するブランク（減衰）処理を行う。ブランク処理部１４は、信号レベル検出部１１がノイズを検出すると、入力信号に対するブランク処理を行う。
【００３４】
ブランク処理部１４は、設定されたブランク幅、及び減衰量に基づきブランク処理を行う。ブランク幅（パルス幅）は、入力信号に対してブランク処理を行う時間の幅を定める基準となる所定の時間の幅である。ブランク幅のデータは、ブランク幅調整部１５よりブランク処理部１４に入力される。
【００３５】
ブランク幅のデータは、操作部７の操作によりブランク幅調整部１５に入力されるようにできる。また、ブランク幅のデータを外部メモリ８に予め記憶し、このデータがブランク幅調整部１５に入力されるようにすることもできる。このブランク幅のデータをブランク処理部１４に設定するにあたり、可変に設定できるようにされており、調整可能にされている。
【００３６】
減衰量は、ブランク処理部１４がブランク処理を行う場合の信号を減衰させる量である。減衰量のデータは、「深さ」調整部１６よりブランク処理部１４に入力される。
【００３７】
ブランク処理部１４は、ノイズのブランク処理を行う所定の一つの時間の幅内で異なる減衰量によりノイズを減衰させる処理を行う。ブランク処理部１４が異なる減衰量でノイズを減衰させる処理を行うにあたり、深さ調整部１６により調整された各々の減衰量が、ブランク処理部１４に入力される。
【００３８】
深さ調整部１６に減衰量の最大値のデータを入力し、この最大値のデータに基づく各々の減衰量を深さ調整部１６で求めるようにできる。減衰量のデータは、操作部７の操作により深さ調整部１６に入力するようにできる。また、減衰量のデータを外部メモリ８に予め記憶させ、このデータを深さ調整部１６に入力するようにすることもできる。
【００３９】
この減衰量のデータをブランク処理部１４に設定するにあたり、可変に設定できるようにされており、調整可能にされている。
【００４０】
ブランク処理部１４により処理を行った結果としての信号は、受信処理部５に出力される。なお、信号レベル検出部１１がノイズを検出しなかった場合には、ブランク処理部１４は入力信号について減衰させる処理を行わず、ブランク処理部１４は入力信号をそのまま受信処理部５に出力する。
【００４１】
次に、以上に説明した無線機２０の動作の例について、図３に基づき説明する。図３は、ノイズブランカ１０の動作を示すフローチャートである。
【００４２】
Ａ／Ｄコンバータ３を出力されたＩＦ信号が入力信号（ＩＦ入力）としてノイズブランカ１０に入力されると（ステップＳ１）、信号レベル検出部１１が信号の電力計算を行う（ステップＳ２）。
【００４３】
次に、ブランク処理中か否か判断し（ステップＳ３）、ブランク処理中でない場合（ステップＳ３、ＮＯ）、Ｓ２で検出した電力がノイズ検出の基準となる閾値の設定レベルより大きいか否か判断する（ステップＳ４）。
【００４４】
検出電力が設定レベルより大きい場合（ステップＳ４、ＹＥＳ）、ブランク処理を実行する（ステップＳ５）。次に、ブランク処理中であるので（ステップＳ３、ＹＥＳ）、ブランク処理として減衰処理を行うか否か判断する（ステップＳ６）。
【００４５】
ブランク処理として減衰処理を行う場合（ステップＳ６、ＹＥＳ）、設定された減衰量（の深さ）、即ち最大の減衰量になったか否か判断し（ステップＳ７）、設定された減衰量になっていない場合（ステップＳ７、ＮＯ）、ブランク処理として減衰処理を行う（ステップＳ８）。このＳ８における減衰処理は減衰量を増加させて減衰させる処理である。そして、得られた減衰量に基づきブランクゲインを計算する（ステップＳ１７）。
【００４６】
一方、ノイズブランカ１０にＩＦ入力が入力されると、入力された信号に対するディレイ（Ｄｅｌａｙ）処理を行い（ステップＳ１８）、ディレイ（Ｄｅｌａｙ）信号値を得る（ステップＳ１９）。
【００４７】
そして、ブランクゲインとディレイ（Ｄｅｌａｙ）信号値との乗算により、ノイズブランカ１０の出力を得る（ステップＳ２０）。ノイズブランカ１０は、その出力を受信処理部５に出力する（ステップＳ２１）。
【００４８】
以上のステップＳ８の実行により、ステップＳ８の実行前に比べて減衰量が増加する。そして、ステップＳ８を繰り返すことにより、設定された減衰量の最大値に向かって減衰量が順次に増加する。この間、得られた減衰量の各々に基づきステップＳ１７、ステップＳ２０、ステップＳ２１の実行を繰り返す。
【００４９】
次に、減衰量が設定された減衰量の最大値になると（ステップＳ７、ＹＥＳ）、ブランク処理として減衰量のホールド処理を行う（ステップＳ９）。この減衰量のホールド処理により、ブランク処理の減衰量は最大値に維持される。ホールドされた減衰量に基づきステップＳ１７、ステップＳ２０、ステップＳ２１を実行する。
【００５０】
次に、減衰量のホールド処理を行うので、減衰処理を実行せず（ステップＳ６、ＮＯ）、減衰量のホールド処理を続けるか否か判断する（ステップＳ１０）。減衰量のホールド処理を行う場合（ステップＳ１０、ＹＥＳ）、設定されたパルス幅（ブランク幅）になったか否か判断する（ステップＳ１１）。
【００５１】
設定されたパルス幅になっていない場合には（ステップＳ１１、ＮＯ）、ブランク処理として減衰量ホールド処理を行う（ステップＳ１２）。ホールドされた減衰量に基づきステップＳ１７、Ｓ２０、Ｓ２１を実行する。
【００５２】
次に、設定パルス幅になると（ステップＳ１１、ＹＥＳ）、ブランク処理として復帰処理を実行する（ステップＳ１３）。この復帰処理は、減衰量を減少させて元のゲイン（＝１．０）まで復帰させる処理である。
【００５３】
次に、復帰処理を行うので、減衰量のホールド処理を実行せず（ステップＳ１０、ＮＯ）、入力信号に対するゲインが元のゲイン（＝１．０）まで復帰したか否か判断する（ステップＳ１４）。
【００５４】
元のゲインまで復帰していない場合（ステップＳ１４、ＮＯ）、ブランク処理として復帰処理を行う（ステップＳ１５）。復帰処理により得られた減衰量に基づきステップＳ１７、Ｓ２０、Ｓ２１を実行する。
【００５５】
ステップＳ１５の実行により、ステップＳ１５の実行前に比べて減衰量が減少する。そして、ステップＳ１５を繰り返すことにより、元のゲインまで復帰するべく減衰量が順次に減少する。この間、得られた減衰量の各々に基づきステップＳ１７、Ｓ２０、Ｓ２１の実行を繰り返す。
【００５６】
そして、元のゲインまで復帰すると（ステップＳ１４、ＹＥＳ）、ブランク処理を終了する（ステップＳ１６）。元のゲインにより、即ち入力信号を減衰させることなく、ステップＳ１７、Ｓ２０、Ｓ２１を実行する。
【００５７】
以上に説明した無線機２０によると、ノイズブランカ１０による処理を、ノイズを減衰させる減衰量を設定して行うことができる。これにより、ノイズを含む部分の信号を完全にカットするのでなく、該信号の部分を所定の減衰量で減衰させる処理を行うので、ノイズの処理に伴う信号の歪みを小さくすることができる。
【００５８】
これにより、無線機２０のユーザに受信音声についての聴感上の歪みを感じさせないようにすることもできる。また、信号に含まれる必要な情報を損なうことを防ぐこともできる。
【００５９】
また、無線機２０は、減衰量を可変に設定でき、減衰量を調整できるようにされている。これにより、受信の目的となる信号付近の電波状況に応じて、最適な減衰量を設定することもできる。
【００６０】
また、無線機２０によると、前記ステップＳ８、Ｓ１５からわかるように、ノイズを減衰させる処理を行う一つの時間の幅内において異なる減衰量に基づきノイズを減衰させる。
【００６１】
そして、ノイズを減衰させる処理を行う時間の幅内においてノイズを減衰させる処理の開始より段階的に減衰量を増加させ（ステップＳ７、Ｓ８）、減衰量の最大値に達すると減衰量をホールドする（ステップＳ７、Ｓ９）。
【００６２】
そして、ブランク幅（パルス幅）に相当する時間が経過すると（ステップＳ１１）、元のゲイン（１．０）まで復帰させるべく、減衰量を段階的に減少させる（ステップＳ１４、Ｓ１５）。
【００６３】
これにより、ノイズを減衰させる処理の開始および終了時に減衰量に傾斜をもたせた信号処理を行い、減衰の開始時にはいわゆるフェードインのようにノイズを減衰させる処理を開始し、減衰の終了時にはいわゆるフェードアウトのようにノイズを減衰させる処理を終了する。これにより、ノイズブランカによるノイズを減衰させる処理に伴う信号の歪みをより小さくすることができる。
【００６４】
以上の説明では、ノイズブランカ１０についてディジタル信号を処理するように構成されたものの例により説明した。本発明を実施するにあたり、ノイズブランカをアナログ回路により構成することもできる。
【００６５】
図４は、アナログ回路により構成されたノイズブランカ３０のブロック図である。ノイズブランカ３０が設けられる無線機は、ディジタル信号を処理する部分を除くアナログ回路によって構成される部分は、無線機２０と同様である。ノイズブランカ３０によると、パルス性のノイズを処理することができる。
【００６６】
ノイズブランカ３０は、信号レベル検出回路２１と検出レベル調整回路２２とディレイ回路２３とブランク処理回路２４とブランク幅調整回路２５と深さ調整回路２６を備えている。ノイズブランカ３０のこれらの各部は、アナログ回路により構成されている。
【００６７】
ノイズブランカ３０には、アナログ信号である入力信号（ＩＦ入力）が、受信回路より入力される。信号レベル検出回路２１は、入力信号の信号レベルを検出し、入力信号がノイズを含むか否かの検出を行う。信号レベル検出回路２１は、入力信号がノイズを含むか否か検出するため、入力信号の電力の計算を行う。
【００６８】
そして、信号レベル検出回路２１は、検出レベル調整回路２２より入力された閾値レベルと入力信号の電力値とを比較し、ノイズの検出を行う。信号レベル検出回路２１は、ノイズを検出すると、ブランク処理回路２４がブランク（減衰）処理を行うための制御信号を出力する。この信号レベル検出回路２１は、入力信号の信号レベルの検出に基づきノイズを検出しており、ノイズ検出手段にあたる。
【００６９】
検出レベル調整回路２２は、信号レベル検出回路２１がノイズの検出を行うための基準となる閾値レベルを信号レベル検出回路２１に入力する。検出レベル調整回路２２には、ノイズ検出のための閾値レベルが設定される。この閾値レベルを検出レベル調整回路２２に設定するにあたり、操作部７の操作により検出レベル調整回路２２に入力するようにできる。
【００７０】
ディレイ（Ｄｅｌａｙ）回路２３は、入力信号を遅延させる処理を行う。ノイズブランカ３０に入力された入力信号について、信号レベル検出回路２１がノイズを含むか否か検出するには所定の処理時間を要する。そのため、信号レベル検出回路２１によるノイズの検出が終了した後にブランク処理回路２４により入力信号を処理するべく、入力信号をディレイ回路２３により遅延させてブランク処理回路２４に入力させる。
【００７１】
ブランク処理回路２４は、入力信号に含まれるノイズを除去するべく、入力信号に対するブランク（減衰）処理を行う。ブランク処理回路２４は、信号レベル検出回路２１がノイズを検出すると、入力信号に対するブランク処理を行う。
【００７２】
ブランク処理回路２４は、設定されたブランク幅、及び減衰量に基づきブランク処理を行う。ブランク幅のデータは、ブランク幅調整回路２５よりブランク処理回路２４に入力される。
【００７３】
ブランク幅のデータは、操作部７の操作によりブランク幅調整回路２５に入力するようにできる。このブランク幅のデータをブランク処理回路２４に設定するにあたり、可変に設定できるようにされており、調整可能にされている。
【００７４】
減衰量は、ブランク処理回路２４がブランク処理を行う場合の信号を減衰させる量である。減衰量のデータは、深さ調整回路２６よりブランク処理回路２４に入力される。
【００７５】
ブランク処理回路２４は、ノイズのブランク処理を行う一つの所定の時間の幅内で異なる減衰量により減衰処理を行う。ブランク処理回路２４が異なる減衰量で減衰処理を行うにあたり、深さ調整回路２６により調整された各々の減衰量が、ブランク処理回路２４に入力される。
【００７６】
深さ調整回路２６に減衰量の最大値のデータを入力し、この最大値のデータに基づく各々の減衰量を深さ調整回路２６で求めるようにすることができる。減衰量のデータは、操作部７の操作により深さ調整回路２６に入力するようにできる。
【００７７】
この減衰量のデータをブランク処理回路２４に設定するにあたり、可変に設定できるようにされており、調整可能にされている。
【００７８】
ブランク処理回路２４により処理を行った結果としての信号は、受信処理回路３５に出力される。なお、信号レベル検出回路２１がノイズを検出しなかった場合には、ブランク処理回路２４では入力信号について減衰させる処理を行わず、ブランク処理回路２４は入力信号をそのまま受信処理回路３５に出力する。
【００７９】
以上のノイズブランカ３０が設けられる無線機によると、ノイズブランカ３０がノイズを処理するにあたり、信号の減衰量を設定して行うことができる。これにより、ノイズを含む部分の信号を完全にカットするのでなく、該信号の部分を所定の減衰量で減衰させるので、ノイズの処理に伴う信号の歪みを小さくすることができる。
【００８０】
これにより、無線機のユーザに受信音声についての聴感上の歪みを感じさせないようにすることもできる。また、信号に含まれる必要な情報を損なうことを防ぐこともできる。
【００８１】
また、ノイズブランカ３０がノイズを処理するための減衰量を可変に設定でき、減衰量を調整できるようにされている。これにより、受信の目的となる信号付近の電波状況に応じて、最適な減衰量を設定することもできる。
【図面の簡単な説明】
【００８２】
【図１】本発明の一実施形態である無線機のブロック図である。
【図２】ノイズブランカのブロックを含むブロック図である。
【図３】無線機の動作の手順を示すフローチャートである。
【図４】アナログ回路により構成されたノイズブランカのブロック図である。
【符号の説明】
【００８３】
１    受信アンテナ
２    受信回路
３    Ａ／Ｄコンバータ
５    受信処理部
６    Ｄ／Ａコンバータ
７    操作部
８    外部メモリ
１０    ノイズブランカ
１１    信号レベル検出部
１２    検出レベル調整部
１３    ディレイ（Ｄｅｌａｙ）部
１４    ブランク処理部
１５    ブランク幅調整部
１６    深さ調整部
２０    無線機
２１    信号レベル検出回路
２２    検出レベル調整回路
２３    Ｄｅｌａｙ（ディレイ）回路
２４    ブランク処理回路
２５    ブランク幅調整回路
２６    深さ調整回路
３０    ノイズブランカ
３５    受信処理回路
【図１】
2006050018.tif 000003
【図２】
2006050018.tif 000004
【図３】
2006050018.tif 000005
【図４】
2006050018.tif 000006